(57)【要約】【課題】簡単に組み立てることができるが安定性に優れる間仕切装置を提供する。【解決手段】金属製の中空部材であり、表面に、長手方向における一端から他端にまで続く凹部が設けられた複数の管と、前記複数の管の一端と他端とにそれぞれ取り付けられる複数の連結部材と、前記複数の管に設けられた凹部に上下左右の端部が嵌め込まれるパネルと、を備え、前記パネルの左右に前記パネルの上下よりも幅狭の凹部を有する管が配置される間仕切装置。【選択図】図１Ｂ
2016125259.tif 000002
【特許請求の範囲】
【請求項１】
金属製の中空部材であり、表面に、長手方向における一端から他端にまで続く凹部が設けられた複数の管と、
前記複数の管の一端と他端とにそれぞれ取り付けられる複数の連結部材と、
前記複数の管に設けられた凹部に上下左右の端部が嵌め込まれるパネルと、
を備え、
前記パネルの左右に前記パネルの上下よりも幅狭の凹部を有する管が配置されることを特徴とする間仕切装置。
【請求項２】
前記複数の連結部材の各々は、
本体部と、
前記本体部に接続され、前記管の端部を外挿嵌合する複数の中空筒部と、
を備えることを特徴とする請求項１に記載の間仕切装置。
【請求項３】
前記パネルの四隅に切り欠きが設けられていることを特徴とする請求項１または２に記載の間仕切装置。
【発明の詳細な説明】
【技術分野】
【０００１】
本発明は間仕切装置に関する。
【背景技術】
【０００２】
従来、切り欠き溝が形成された紙管を支柱として用いる家具用紙パネルの組立方法が提案された（特許文献１参照）。
【先行技術文献】
【特許文献】
【０００３】
【特許文献１】実用新案登録第３１０２６３４号公報
【発明の概要】
【発明が解決しようとする課題】
【０００４】
しかしながら、上記従来の家具用紙パネルでは、切り欠き溝により管の強度が低下し、安定性に欠ける（例：ぐらつく、崩れる）という問題があった。
【０００５】
そこで、本発明は、簡単に組み立てることができるが安定性に優れる間仕切装置を提供することを目的とする。
【課題を解決するための手段】
【０００６】
上記課題は、例えば、次の手段により解決することができる。金属製の中空部材であり、表面に、長手方向における一端から他端にまで続く凹部が設けられた複数の管と、前記複数の管の一端と他端とにそれぞれ取り付けられる複数の連結部材と、前記複数の管に設けられた凹部に上下左右の端部が嵌め込まれるパネルと、を備え、前記パネルの左右に前記パネルの上下よりも幅狭の凹部を有する管が配置されることを特徴とする間仕切装置。
【発明の効果】
【０００７】
本発明によれば、簡単に組み立てることができるが安定性に優れる間仕切装置を提供することができる。
【図面の簡単な説明】
【０００８】
【図１Ａ】実施形態１に係る間仕切装置の模式的斜視図である。
【図１Ｂ】実施形態１に係る間仕切装置の模式的分解斜視図である。
【図１Ｃ】図１Ｂ中のＡ−Ａ断面図である。
【図１Ｄ】図１Ｂ中のＢ−Ｂ断面図である。
【図２Ａ】実施形態２に係る間仕切装置の模式的斜視図である。
【図２Ｂ】実施形態２に係る間仕切装置の模式的分解斜視図である。
【図３Ａ】実施形態３に係る間仕切装置の模式的斜視図である。
【図３Ｂ】実施形態３に係る間仕切装置の模式的分解斜視図である。
【発明を実施するための形態】
【０００９】
［実施形態１に係る間仕切装置］
図１Ａは実施形態１に係る間仕切装置の模式的斜視図であり、図１Ｂは実施形態１に係る間仕切装置の模式的分解斜視図である。また、図１Ｃは図１Ｂ中のＡ−Ａ断面図であり、図１Ｄは図１Ｂ中のＢ−Ｂ断面図である。図１Ａから１Ｄに示すように、実施形態１に係る間仕切装置は、金属製の中空部材であり、表面に、長手方向における一端から他端にまで続く凹部Ｘ１、Ｘ２が設けられた複数の管１１、１２と、複数の管１１、１２の一端と他端とにそれぞれ取り付けられる複数の連結部材２０と、複数の管１１、１２に設けられた凹部Ｘ１、Ｘ２に上下左右の端部が嵌め込まれるパネル３０と、を備え、パネル３０の左右にパネル３０の上下よりも幅狭の凹部を有する管が配置される発光装置である。以下、詳細に説明する。
【００１０】
（複数の管１１、１２）
複数の管１１、１２は、金属製の中空部材であり、表面に、長手方向における一端から他端にまで続く凹部Ｘ１、Ｘ２が設けられている。金属製の部材を用いることにより、間仕切装置の安定性を高めることができる。複数の管１１、１２は、間仕切装置の軽量化を図るべく、アルミニウムを押出し成形することにより作製されたものであることが好ましい。
【００１１】
パネル３０の左右にはパネル３０の上下よりも幅狭の凹部を有する管が配置される。すなわち、パネル３０の左右には管１１が配置され、パネル３０の上下には管１２が配置されるが、管１１が有する凹部Ｘ１の幅Ｗ１は管１２が有する凹部Ｘ２の幅Ｗ２よりも小さい（Ｗ１＜Ｗ２）。このように、パネル３０の左右にパネル３０の上下よりも幅狭の凹部を有する管を配置することによって、パネル３０をその左右にある管１１に対して強固に取り付ける一方で、パネル３０をその上下にある管１２に対して余裕を持たせて緩く取り付けることが可能となる。したがって、例えば次の（１）から（４）の工程により間仕切装置を簡単に組み立てることが可能となる。
（１）パネル３０の左右の端部に管１１を取り付ける（パネル３０の左右の端部を管１１の凹部Ｘ１に嵌め込む）、
（２）管１１を握持してパネル３０を持ち上げる（パネル３０は、その左右の端部が幅狭の凹部Ｘ１を有する管１１により強固に保持されているため、管１１を握持することにより持ち上げることができる）、
（３）持ち上げたパネル３０の下側の端部を所定の場所にあらかじめ設置された管１２に取り付ける（パネル３０の下側に配置される管１２の凹部Ｘ２にパネル３０の下側の端部を嵌め込む）、
（４）パネル３０の上側の端部に管１２を取り付ける（パネル３０の上側に配置される管１２の凹部Ｘ２にパネル３０の上側の端部を嵌め込む）。
【００１２】
特に限定されるわけではないが、パネル３０の左右に配置される管１１に設けられた凹部Ｘ１の幅Ｗ１は、例えばパネル３０の厚みＴの１０５％以上１１０％以下であることが好ましく、パネル３０の上下に配置される管１２に設けられた凹部Ｘ２の幅Ｗ２は、例えばパネル３０の厚みＴの１４０％以上１５０％以下であることが好ましい。
【００１３】
（複数の連結部材２０）
複数の連結部材２０は、複数の管１１、１２を枠状に連結する部材であり、複数の管１１、１２の一端と他端とにそれぞれ取り付けられる。複数の連結部材２０は、例えば射出成形により作製された合成樹脂成形品からなる。
【００１４】
複数の連結部材２０は、例えば、本体部２２と、本体部２２に接続され複数の管１１、１２の端部（一端、他端）を外挿嵌合する複数の中空筒部２１と、を有していることが好ましい。このように、連結部材２０を中空筒部２１と本体部２２とに分けることにより、間仕切装置の組み立てが簡単になる。また、外挿嵌合によって複数の連結部材２０（中空筒部２１）を複数の管１１、１２の端部（一端、他端）に取り付けるよう構成することにより、連結部材２０（中空筒部２１）の内部形状を管１１、１２の内部形状に合わせて形成する必要がなくなり、中空円筒状や中空角筒状などのシンプルな形状を有する部材を連結部材２０（中空筒部２１）として用いることができるため、間仕切装置の製造コストを削減することができる（上記のとおり、管１１、１２の表面には凹部Ｘ１、Ｘ２が形成されるため、管１１、１２の内面には凸部が形成されることなる。したがって、中空筒部２１を管１１、１２に内挿嵌合させようとすると、この凸部を避けるような形状に中空筒部２１を形成しなければないが、上記のように外挿嵌合とすれば、このような問題はない。）。
【００１５】
本体部２２は、特に限定されるものではないが、中空立方体状の形状を有することが好ましい。このようにすれば、本体部２２が軽量となるため、間仕切装置の組み立てがより簡単になる。また、本体部２２をより少量の部材から作製することができるため、間仕切装置の製造コストを削減することができる。なお、本体部２２に円筒状のねじ溝部２２ａを設けるとともに、中空筒部２１の内壁にねじ溝２１ａを設ければ、中空筒部２１を本体部２２に対して螺合により簡単に接続することができるようになるため、間仕切装置の組み立てがより簡単になる。
【００１６】
（パネル３０）
パネル３０は、複数の管１１、１２に囲まれた領域に配置される部材であり、複数の管１１、１２に設けられた凹部Ｘ１、Ｘ２に上下左右の端部が嵌め込まれる。パネル３０には、例えば、プラスチックダンボール材、発泡スチレン製、紙製、または木製の部材を用いることができる。パネル３０は、複数の管１１、１２で囲まれた領域を塞ぐ形状であることが好ましい。このようにすれば、間仕切装置による遮蔽性を高めることができる。なお、パネル３０の四隅には、パネル３０の四隅が複数の連結部材２０に緩衝しないよう、切り欠きＹが設けられていることが好ましい。このようにすれば、パネル３０の破損や摩耗などを防止できるため、長期にわたり使用できる間仕切装置を提供することができる。
【００１７】
（支持部材４０）
間仕切装置は支持部材４０により支持することができる。支持部材４０を用いれば、間仕切装置の安定性をより向上させることができる。支持部材４０は、本体部２２が中空立方体状の形状を有する場合、本体部２２の内部と中空円筒部２１の内部とを貫通し、その一部が管１１の内部に挿入されるものであることが好ましい。このようにすれば、間仕切装置の安定性をさらに向上させることができる。
【００１８】
支持部材４０は、例えば、平板部４１と、円筒部４２と、円筒状の部材の一部が切り欠かれた形状を有する挿入部４３（円筒状の部材を縦に割ったような形状を有する円筒片状の部材）と、を備えている。上記のとおり、管１１には凹部Ｘ１が形成されるため、管１１の内部には円筒全体を通すだけの十分な空間を確保し難いが、このような円筒片状の挿入部４３を設ければ、円筒全体ではなく円筒片を管１１の内部に挿入することになるため、支持部材４０を管１１に挿入することが容易になる。なお、支持部材４０の平板部４１上に磁石５０を設けるとともに、本体部２２の内部の底部にワッシャなどの金属部材（図示せず）を設ければ、本体部２２を支持部材４０に安定して固定することができる。
【００１９】
以上のとおり、実施形態１によれば、複数の管１１、１２が金属製の部材を用いて構成されるため、間仕切装置の安定性を高めることができる。また、実施形態１によれば、パネル３０の左右にパネル３０の上下よりも幅狭の凹部を有する管が配置されるため（「凹部Ｘ１の幅Ｗ１」＜「凹部Ｘ２の幅Ｗ２」）、間仕切装置を簡単に組み立てることが可能となる。したがって、簡単に組み立てることができるが安定性に優れる間仕切装置を提供することができる。
【００２０】
［実施形態２に係る間仕切装置］
図２Ａは実施形態２に係る間仕切装置の模式的斜視図であり、図２Ｂは実施形態２に係る間仕切装置の模式的分解斜視図である。図２Ａ、図２Ｂに示すように、実施形態２に係る間仕切装置は、実施形態１に係る間仕切装置を互いに連結させたものである。実施形態２に係る間仕切装置によれば、間仕切装置同士が互いに支え合うようになるため、間仕切装置の安定性がより向上する。
【００２１】
間仕切装置同士を連結させる場合、複数の連結部材２０の中には、中空筒部２１が挿嵌される貫通孔Ｐを備えた本体部６２を含ませることが好ましい。このようにすれば、本体部２２と本体部６２とを連結させることができるため、一つ一つ別々に組み立てた実施形態１に係る間仕切装置を互いに連結させることが容易になり、実施形態２に係る間仕切装置を簡単に組み立てることができるようになる。
【００２２】
特に限定されるわけではないが、本体部２２のねじ溝部２２ａと本体部６２のねじ溝部６２ａとに、ねじ溝部２２ａとねじ溝部６２ａの形状に応じた形状を有する係止部材７０を取り付ければ、本体部２２と本体部６２との連結が意図せずに解除されてしまうことを抑制できるため、間仕切装置の安定性がより向上する。なお、ねじ溝部２２ａ、６２ａにはキャップ２３を取り付けてもよい。
【００２３】
［実施形態３に係る間仕切装置］
図３Ａは実施形態３に係る間仕切装置の模式的斜視図であり、図３Ｂは実施形態３に係る間仕切装置の模式的分解斜視図である。図３Ａ、図３Ｂに示すように、実施形態３に係る間仕切装置は、実施形態３に係る間仕切装置を箱状に連結させたものである。実施形態３に係る間仕切装置によれば、間仕切装置が互いに支え合い自立するため、間仕切装置の安定性がさらに向上する。なお、実施形態３に係る間仕切装置においては、間仕切装置が互いに支え合い自立するため、支持部材４０を用いる必要がない。
【００２４】
以上、実施形態について説明したが、これらの説明は一例に関するものであり、特許請求の範囲に記載された構成は、これらの説明によって何ら限定されるものではない。
【符号の説明】
【００２５】
１１、１２  複数の管
２０        連結部材
２１        中空筒部
２１ａ      ねじ溝
２２        本体部
２２ａ      ねじ溝部
２３        キャップ
３０        パネル
４０        支持部材
４１        平板部
４２        円筒部
４３        挿入部
５０        磁石
６２        本体部
６２ａ      ねじ溝部
７０        係止部材
Ｐ          貫通孔
Ｘ１、Ｘ２  凹部
Ｗ１、Ｗ２  凹部の幅
Ｔ          パネルの厚み
Ｙ          切り欠き
【図１Ａ】
2016125259.tif 000003
【図１Ｂ】
2016125259.tif 000004
【図１Ｃ】
2016125259.tif 000005
【図１Ｄ】
2016125259.tif 000006
【図２Ａ】
2016125259.tif 000007
【図２Ｂ】
2016125259.tif 000008
【図３Ａ】
2016125259.tif 000009
【図３Ｂ】
2016125259.tif 000010